(57)【要約】【課題】写真を撮影する場合に少しでも失敗写真をフィルム上に露光させるのを防止すること。【解決手段】カメラに撮影画像とほぼ等価な画像を取り込み、その画像を表示できるカメラで、撮影動作で画像を表示するだけの第二動作モードと撮影動作と画像表示を行う第一動作モードとが有り、カメラの使用状態（手ブレ量、シャッタースピード）に応じて、カメラ自身が第一動作モードか第二動作モードに切換える。【選択図】　　　　図１
2004012604.tif 000002
【特許請求の範囲】
【請求項１】
被写体像をフィルムに撮影する撮影手段と前記被写体像と略等価な画像データを記憶する画像記憶手段と、前記画像記憶手段に記憶された画像データを表示する画像表示手段とを有し、撮影動作時に前記撮影手段と前記画像記憶手段と前記画像表示手段とが作動する第一動作モードと、前記画像記憶手段と前記画像表示手段とが作動する第二動作モードのどちらかを選択する為のモード選択手段を有することを特徴とする画像表示カメラ。
【請求項２】
被写体像をフィルムに撮影する撮影手段と前記被写体像と略等価な画像データを記憶する画像記憶手段と、前記画像記憶手段に記憶された画像データを表示する画像表示手段とを有し、被写体像を撮影する時の撮影状態を検出する撮影状態検出手段とを有し、前記撮影状態検出手段の検出結果に応じて、撮影動作時に前記撮影手段と前記画像記憶手段と前記画像表示手段とが作動する第一動作モードと、前記画像記憶手段と前記画像表示手段とが作動する第二動作モードとのどちらのモードを設定するかを判別するモード判別手段を有することを特徴とする画像表示カメラ。
【請求項３】
請求項２に記載の画像表示カメラにおいて、第二動作モードの動作後に強制的に第一動作モードを実行するか否かを決定する決定手段を有することを特徴とする画像表示カメラ。
【請求項４】
請求項１、２に記載の画像表示カメラにおいて、前記第一、第二動作モードのうちいずれの動作モード状態かを表示する表示手段を有することを特徴とする画像表示カメラ。
【請求項５】
被写体像をフィルムに撮影する撮影手段と前記被写体像と略等価な画像データを記憶する画像記憶手段と、前記画像記憶手段に記憶された画像データを表示する画像表示手段と使用者が手振れを起こしているかを検出する振れ検出手段を有するカメラにおいて、撮影動作時に前記振れ検出手段の検出結果に応じて、撮影手段と画像記憶手段と画像表示手段が作動する第一動作モードと前記撮影手段が非作動で画像記憶手段と画像表示手段が作動する第二動作モードとのどちらのモードを設定するかを判別するモード判別手段を有することを特徴とする画像表示カメラ。
【請求項６】
請求項５に記載のカメラで前記振れ検出手段による振れ量が所定値よりも小さい時には撮影手段と画像記憶手段と画像表示手段が作動する第一動作モードになり、振れ量が所定値よりも大きい時には、画像記憶手段と画像表示手段が作動する第二動作モードに設定することを特徴とする画像表示カメラ。
【請求項７】
被写体像をフィルムに撮影する撮影手段と前記被写体像と略等価な画像データを記憶する画像記憶手段と、前記画像記憶手段に記憶された画像データを表示する画像表示手段とを有するカメラにおいて、撮影動作時にシャッタースピードに応じて、撮影手段と前記撮影手段が非作動で画像記憶手段と画像表示手段が作動する第一動作モードと画像記憶手段と画像表示手段が作動する第二動作モードとのどちらのモードを設定するかを判別するモード判別手段を有することを特徴とする画像表示カメラ。
【請求項８】
請求項７に記載のカメラで前記シャッタースピードの高速側では、撮影手段と画像記憶手段と画像表示手段が作動する第一動作モードと前記シャッタースピードの低速側では画像記憶手段と画像表示手段が作動する第二動作モードに設定することを特徴とする画像表示カメラ。
【発明の詳細な説明】
【０００１】
【発明の属する技術分野】
本発明は、撮影者が撮影する被写体像を事前に確認できる撮影条件かどうかをカメラが自動的に判別し、事前確認できる撮影条件の場合は事前確認状態になり、事前確認失敗写真をなるべく無くすことに関するものである。
【０００２】
【従来の技術】
従来、振影した写真は撮影後にフィルム現像と共に各駒を１枚づつプリントする、いわゆる「同時プリント」を依頼し、その出来上がりを見てはじめて撮影した写真が成功したのか、失敗したのかが確認できていた。この場合、多少写真が失敗していても写真がプリントされてしまっていた。また、失敗写真の駒のフィルムも無駄になってしまうことになり不経済であった。そこで、特開平１０−１４２６７５号公報では、カメラ本体外装面上に配置された画像モニタ手段により画像を確認し、その画像に基づいてその画像に対応する撮影駒のプリント枚数の設定をおこなうようなカメラが開示されている。また、このカメラの場合、撮影後に撮影した被写体画像を確認できるので、もし失敗した写真であった場合は、その場でプリントの枚数を変更できるのでプリントしないように指示することができる。従って、無駄な駒のプリントの依頼を防止することができる。
【０００３】
【発明が解決しようとする課題】
しかし、上記従来例では撮影動作後に画像モニタによって撮影された近似的な画像を確認することによってプリント枚数の設定を変更することができる。しかし、この場合失敗写真を減らすことはできるが失敗した写真に対応したフィルムは無駄になってしまい、不経済であった。
【０００４】
【課題を解決するための手段】
上記目的を達成するために、本出願に係る請求項１に記載の発明は、被写体を撮影する時に撮影する被写体とほぼ同等の画像を表示する表示手段で、フィルムに撮影する前に被写体の撮影状態を確認するモードか、フィルムに撮影すると同時に画像を取込み、フィルムに撮影した後に被写体の撮影状態を確認するモードかを選択するので、いつも撮影後被写体の撮影状態を確認するよりも、撮影する前に被写体の撮影状態が確認できた方が失敗写真が減少する。
【０００５】
本出願に係る請求項２に記載の発明は、被写体を撮影する時に撮影する被写体とはぼ同等の画像を表示する表示手段で、フィルムに撮影する前に被写体の映像を確認する第一の動作モードか、フィルムに撮影すると同時に画像を取込み、フィルムに撮影した後に被写体の映像を確認する第二の動作モードかを決めるために、撮影時の撮影状態をカメラが検出し、その結果に応じて動作モードを自動的にカメラが設定するので、カメラが撮影状態に応じて失敗写真を撮影すると判断した場合は、撮影の事前確認のモードになるので、失敗写真が減少する。
【０００６】
本出願に係る請求項３に記載の発明は、請求項２に記載のカメラのように被写体の画像を取込み、その画像を表示手段に表示する第二の動作モードの実行後に第一の動作モードを実行するかどうかを決定する決定手段があるので、被写体の画像を確認後に確実に写真撮影が可能になる。
【０００７】
本発明に係る請求項４に記載の発明は、フィルムに撮影する前に被写体の映像を確認する第一の動作モードかフィルムに撮影した後に被写体の映像を確認する第二の動作モードかをカメラの使用時に確認できる表示手段があるので、使用者はどちらの動作モードにあるかが確認できる。
【０００８】
本出願に係る請求項５，６に記載の発明は、撮影動作時に使用者が手振れを起こしているかを検出する振れ検出手段の検出結果に応じて、撮影したい被写体の画像を表示しフィルムにも同時に撮影する第一の動作モードと被写体の画像を表示するだけの第二の動作モードとが選択されるので、前記の検出結果で撮影したい被写体の写真が失敗すると判断した場合にはフィルムヘの撮影を行わないので失敗写真が減少する。
【０００９】
本出願に係る請求項７，８に記載の発明は、撮影動作時にカメラが設定したシャッタースピードに応じて、撮影したい被写体の画像を表示しフィルムにも同時に撮影する第一の動作モードと、被写体の画像を表示するだけの第二の動作モードとが選択されるので、前記の検出結果で撮影したい被写体の写真が失敗すると判断した場合にはフィルムヘの撮影を行わないので失敗写真が減少する。
【００１０】
本出願に係る請求項７，８に記載の発明は、撮影動作時にカメラが設定したシャッタースピードに応じて、撮影したい被写体の画像を表示しフィルムにも同時に撮影する第一の動作モードと被写体の画像を表示するだけの第二の動作モードとが選択されるので、前記の検出結果で撮影したい被写体の写真が失敗すると判断した場合にはフィルムヘの撮影を行わないので失敗写真が減少する。
【００１１】
【発明の実施の形態】
（第１の実施形態）
本発明の第一の実施形態に関して図１、図３、図４、図５を使って説明する。図３、図４は本発明のカメラの正面と背面からの斜視図である。
【００１２】
図５は本発明のカメラの回路構成を示すブロック図である。１はカメラの動作を制御する制御回路で、２はカメラの各種の画像情報を記憶する画像記憶回路で、画像記憶回路２により記憶されている記憶内容を１３の表示手段に情報が表示される。１８は被写体の輝度を測るための測光センサー、３は測光センサー１８からの信号を処理する測光回路、１９は被写体からの光を受光する受光センサー、４は被写体までの距離を測定する時に光を受ける受光回路、５は合焦動作時にレンズを駆動するためのレンズ駆動回路で、６はレンズ駆動用モータである。７は測光回路３の結果から決定されたシャッタースピード等のシャッタの駆動を制御するシャッタ駆動回路である。８はシャッタ駆動回路７により駆動されるシャッタ用アクチュエータである。９はフィルム駆動を行わせる給送駆動回路で、１０は給送駆動回路９により駆動される給送モータである。１１はカメラのズーム切換えを駆動するズーム駆動回路で、１２はズーム駆動回路によりズーム動作を行うズーム駆動用モータである。１４はカメラの振動を検出する振動検出センサーで、１３は振動検出センサー１４の信号を処理する振動検出回路である。
【００１３】
２０はカメラの電源ＳＷ、２１はカートリッジが装填されているかを検知するためのカートリッジ検知ＳＷ、２２はカメラのレリーズＳＷ１で２３はレリーズＳＷ２であり、この構成については後述する。２４は焦点距離をテレ側に駆動させるテレＳＷで、２５は焦点距離をワイド側に駆動させるワイドＳＷである。２６は切換えＳＷであり、第一の実施形態では第一動作モードと第二動作モードとを使用者が切換えるスイッチである。２７は投光回路、２８は被写体に赤外光を投光する投光素子である。３０はファインダーで観察した被写体像とほぼ等価な像を取込む画像取込み用センサーで、２９は前記画像取込みセンサーからの信号を処理する画像処理回路である。
【００１４】
１００は本発明のカメラの図である。１０１はレリーズ釦である。１０２は撮影レンズである。１０３はファインダーの対物窓である。１０４は被写体の画像を取り込む画像取り込み窓であり、内部には後述の画像取込み用センサー３０が配置されている。１０５は被写体までの距離を測る時に赤外光を投光する投光窓で、１０６は投光素子２８から投光された光が被写体に反射して戻ってきた光を受光する受光窓である。１０７はファインダーの接眼窓である。１０８は画像取り込み窓１０４から取り込まれた被写体像を表示する表示手段である。第一の実施形態では１０９は動作モード切換えスイッチである。
【００１５】
図１は本発明のカメラの動作システムを示すフローチャートである。＃５０において電源スイッチがオンすると＃５１へ進み、♯５１でフィルム装填蓋が閉じられているか否かを判別する。＃５２ではフィルムが装填されているか否かを判定し、装填されていなければ＃５１へ戻り、装填されていれば＃５３に進む。＃５３では給送駆動回路９によりフィルムの給送モータ１０を駆動し、＃５４でフィルムの一駒日のセットが行われたかどうかの判別を行う。＃５４で一駒日のセットが終わると＃５５で給送モータ１０の駆動を停止する。＃５６でズームの切換えを行っているか否かの検出を行う。テレＳＷ２４とワイドＳＷ２５がＯＮしているか否かにより検出を行い、どちらかがＯＮしている場合は＃７３に進み、ＯＦＦの場合は＃５７へ進む。＃７３ではレンズ駆動回路５によりレンズ駆動用モータ６を駆動しテレＳＷ２４とワイドＳＷ２５に応じたモータの駆動制御を行う。＃７４ではレンズ駆動用モータ６を停止させ、＃５６に戻る。
【００１６】
＃５７ではカメラの各種の釦操作部がされたか否かの検出を行い、＃５８ではレリーズスイッチの第一段目のスイッチであるＳＷ１２２がＯＮされているか否かの判別を行う。ＳＷ１２２がＯＮしていない時は＃５６に戻る。ＳＷ１２２がＯＮしている場合は、被写体からの信号を測距センサー１５で受け、その信号を測距回路４により処理し測距を行う。＃６０では被写体からの光を測光センサー１４で受け、その信号を測光回路３で処理し測光を行う。＃６１ではレリーズスイッチの第二段目のスイッチであるＳＷ２２３がＯＮされているか否かの判別を行い、押されていない場合は＃５６に戻る。ＳＷ２２３がＯＮされている場合は、＃６２に進み、被写体の画像を画像取込みセンサー３０により取込み、画像処理回路２９で信号処理される。そして、＃６３に進む。＃６３では動作モードスイッチの状態を判別する。この動作モード切換えスイッチ２６がＯＮしていた場合は第一動作モードであり＃６４に進み、ＯＦＦの場合は第二動作モードであり＃６８に進む。＃６４では振影動作を開始するため、前述の測距結果に基づいてレンズ（不図示）の繰出しを行う。＃６５ではシャッタ駆動回路７により駆動されるシャッタ用アクチュエータ８を駆動させる。＃６６では給送モータ１０を駆動し１駒送りを行う。１駒送りが検出されるまで給送モータ１０が駆動され、１駒送りが完了したら、＃６７に進み給送モータ１０の駆動を停止し＃６８に進む。＃６８では♯６２で取込まれた画像を表示手段１３により表示し、更に第一動作モードか第二動作モードのどちらであるかも表示する。＃６９でフィルムが終了したか否かの判断をする。フィルムの撮影駒が残っていれば＃５６に進む。フィルムが終了していれば＃７０でフィルムの巻戻しを開始する。＃７１でフィルムの巻戻しが終了したか否かの判別を行い。巻戻しが終了したら＃７２で巻戻し終了の表示を行い。＃７３でフィルム装填蓋が開いたか否かの判別を行い、フィルム装填蓋が開いた場合は＃７４に進み画像メモリーをクリアーし終了（＃７５）になる。
【００１７】
（第２の実施形態）
次に本発明の第二の実施形態について図２のフローチャートを使って第二の実施形態において、第一の実施形態と異なる部分に関してのみ説明を行う。第二の実施形態では図４の１０９は強制ＳＷである。図１の＃６３にあたるところは、図２の＃８０である。第二の実施形態では＃６２で被写体の画像を取込み、＃８０に進む。＃８０ではカメラの動作モードの判別を行う。動作モード判別手段として本実施形態では、カメラの手振れ状態の検出がモード判別手段に相当する。カメラの手振れ量が所定値よりも小さい時には＃６４に進み、カメラの手振れ量が大きい時には、＃８１に進む。＃８１ではＭＯＤＥ＝１か否かを判断する。ＭＯＤＥ＝１であれば、＃６４に進み、ＭＯＤＥ＝１でなければ＃６８に進む。＃８５ではＭＯＤＥ＝０が設定される。
【００１８】
また、＃６９でフィルムが終了したか否かの判断し、フィルムの撮影駒が残っていれば＃８２に進む。＃８２で強制ＳＷがＯＮされているか否かの判断を行う、強制ＳＷがＯＮしていない場合は＃８３に進む。＃８３ではＭＯＤＥ＝０が設定され、＃７０に進む。＃８２で強制ＳＷがＯＮしている場合は＃８４に進み、ＭＯＤＥ＝１が設定され、＃５６に戻る。
【００１９】
第二の実施形態では切換えＳＷ２６は強制ＳＷの役割を果たしている。
【００２０】
（第３の実施形態）
次に本発明の第三の実施形態について図２のフローチャートを使って説明を行う。第三の実施形態では＃８０の動作のモード判別手段はカメラが設定したシャッタースピードの所定値によって判断するもので、シャッタースピードが所定値よりも速い時には＃６４に進み、所定値よりも遅い時には＃８１に進む。
【００２１】
（クレームと実施形態の語句の対応）
請求項１、２、５、６、７の画像記憶手段とは図５の画像記憶回路である。
【００２２】
撮影手段とは撮影レンズである。
【００２３】
請求項３の決定手段は第二の実施形態中の切換えＳＷ２６にあたる強制ＳＷを示している。
【００２４】
【発明の効果】
上記目的を達成するために、本出願に係る請求項１に記載の発明は、被写体を撮影する時に撮影する被写体とほぼ同等の画像を表示する表示手段で、フィルムに撮影する前に被写体の撮影状態を確認するモードか、フィルムに撮影すると同時に画像を取込み、フィルムに撮影した後に被写体の撮影状態を確認するモードかを選択するので、いつも撮影後被写体の撮影状態を確認するよりも、撮影する前に被写体の撮影状態が確認できた方が失敗写真が減少する。
【００２５】
本出願に係る請求項２に記載の発明は、被写体を撮影する時に撮影する被写体とほぼ同等の画像を表示する表示手段で、フィルムに撮影する前に被写体の映像を確認する第一の動作モードか、フィルムに撮影すると同時に画像を取込み、フィルムに撮影した後に被写体の映像を確認する第二の動作モードかを決めるために、撮影時の撮影状態をカメラが検出し、その結果に応じて動作モードを自動的にカメラが設定するので、カメラが撮影状態に応じて失敗写真を撮影すると判断した場合は、撮影の事前確認のモードになるので、失敗写真が減少する。
【００２６】
本出願に係る請求項３に記載の発明は、請求項２に記載のカメラのように被写体の画像を取込み、その画像を表示手段に表示する第二の動作モードの実行後に第一の動作モードを実行するかどうかを決定する決定手段があるので、被写体の画像を確認後に確実に写真撮影が可能になる。
【００２７】
本発明に係る請求項４に記載の発明は、フィルムに撮影する前に被写体の映像を確認する第一の動作モードかフィルムに撮影した後に被写体の映像を確認する第二の動作モードかをカメラの使用時に確認できる表示手段があるので、使用者はどちらの動作モードにあるかが確認できる。
【００２８】
本出願に係る請求項５，６に記載の発明は、撮影動作時に使用者のが手振れを起こしているかを検出する振れ検出手段の検出結果に応じて、撮影したい被写体の画像を表示しフィルムにも同時に撮影する第一の動作モードと被写体の画像を表示するだけの第二の動作モードとが選択されるので、前記の検出結果で撮影したい被写体の写真が失敗すると判断した場合にはフィルムヘの撮影を行わないので失敗写真が減少する。
【００２９】
本出願に係る請求項７，８に記載の発明は、撮影動作時にカメラが設定したシャッタースピードに応じて、撮影したい被写体の画像を表示しフィルムにも同時に撮影する第一の動作モードと、被写体の画像を表示するだけの第二の動作モードとが選択されるので、前記の検出結果で撮影したい被写体の写真が失敗すると判断した場合にはフィルムヘの撮影を行わないので失敗写真が減少する。
【図面の簡単な説明】
【図１】本発明の第一の実施形態のフローチャート。
【図２】本発明の第二の実施形態のフローチャート。
【図３】本発明のカメラの正面斜視図。
【図４】本発明のカメラの背面斜視図。
【図５】本発明のカメラの回路のブロック図。
【符号の説明】
１　制御回路
２　表示記憶回路
１３　防振検出回路、表示手段
１４　振動検出センサー
１５　振動検出回路
２６　モード切換えＳＷ、切換えＳＷ
【図１】
2004012604.tif 000003
【図２】
2004012604.tif 000004
【図３】
2004012604.tif 000005
【図４】
2004012604.tif 000006
【図５】
2004012604.tif 000007